(57)【要約】【課題】施工が容易であり、ブラインドやサッシ枠が破損する虞のない屋外用ブラインドを提供する。【解決手段】屋外設置物３００、２００に対して着脱自在に取付けられるブラケット１１０と、ブラケット１１０によって固定されるブラインド支持部材１２０、１３０、１４０と、ブラインド支持部材１２０、１３０、１４０に支持されて、引き出し及び収納可能なスクリーン１５０と、を備えた。【選択図】図１
2015124469.tif 000002
【特許請求の範囲】
【請求項１】
屋外設置物（３００、２００）に対して着脱自在に取付けられるブラケット（１１０）と、
前記ブラケットによって固定されるブラインド支持部材（１２０、１３０、１４０）と、
前記ブラインド支持部材に支持されて、引き出し及び収納可能なスクリーン（１５０）と、
を備えたことを特徴とする屋外用ブラインド。
【請求項２】
前記屋外設置物は物干し竿（３００）、又は物干し竿を支持する物干し金物（２００）としたことを特徴とする請求項１記載の屋外用ブラインド。
【請求項３】
前記ブラケットには、前記物干し竿が挿通する挿通部（１１３）が設けられていることを特徴とする請求項２記載の屋外用ブラインド。
【請求項４】
前記ブラケット又は前記ブラインド支持部材の少なくとも一方には、前記屋外設置物に対する相対移動を防止するための移動防止部（１１１ｂ、５００）が設けられていることを特徴とする請求項１〜請求項３のいずれか１項に記載の屋外用ブラインド。
【請求項５】
前記スクリーンは前記ブラインド支持部材から鉛直方向と水平方向に選択的に引き出し可能であることを特徴とする請求項１〜請求項４のいずれか１項に記載の屋外用ブラインド。
【発明の詳細な説明】
【技術分野】
【０００１】
本発明は、屋外において日射を遮蔽する屋外用ブラインドに関する。
【背景技術】
【０００２】
室内に入る日射を効率良く遮蔽するために、建物の外部にオーニングを設けることが知られている。窓辺に設けたオーニングは、窓周辺に大きな影を作ることができるため、室内に入る日射が効率よく遮蔽される。また、オーニングによって室内を目隠しすることもできる。このようなオーニングとして建物のサッシ枠を利用して取付けたブラインドが知られている。すなわち、サッシ枠の左右一対の縦枠の各々に固定ブラケットを固定し、これら固定ブラケットを介して略垂直に固定した支柱の上端部間にブラインドの巻取ケースを横架することにより、建物の窓周辺にブラインドを取付ける。そして、巻取ケースに巻取り及び巻解き可能に連結されたシート材を引き出して、これをオーニングとして使用するものである（特許文献１参照）。
【０００３】
また、一般に市販されている屋外用ブラインドでは、支柱ではなくサッシ枠に固定された上記固定ブラケットに巻取ケースを直接取付けているものもある。
【先行技術文献】
【特許文献】
【０００４】
【特許文献１】特開２００５−２８２２２６号公報
【発明の概要】
【発明が解決しようとする課題】
【０００５】
ところで、固定ブラケットは、板金製であり、平面部と、平面部の端部から直角に折り曲げられた係合部を有した構成であり、この係合部をハンマー等で叩いてサッシ枠に係合させることにより、サッシ枠に固定されている。このように、サッシ枠に対してハンマーで叩いて係合させるという施工方法を一般のユーザーが行う場合、ある程度の腕力が必要であり非常に煩雑であるという問題があった。また、特に屋外で使用されるブラインドであるため、固定ブラケットとサッシ枠との係合状態が不十分なまま使用を続けると、台風などの強風や、物や人がぶつかるなどの外的要因により、固定ブラケットがサッシ枠から外れてしまう可能性がある。このため、固定ブラケットに取付けられているブラインドが落下して破損したり、サッシ枠が破損したりする虞があるという問題があった。
【０００６】
そこで、本発明は、このような問題に鑑みてなされたもので、その目的とするところは、施工が容易であり、ブラインドやサッシ枠が破損する虞のない屋外用ブラインドを提供することにある。
【課題を解決するための手段】
【０００７】
上記課題を解決するために、本発明によれば、屋外設置物に対して着脱自在に取り付けられるブラケットと、前記ブラケットによって固定されるブラインド支持部材と、前記ブラインド支持部材に支持されて、引き出し及び収納可能なスクリーンと、を備えたことを特徴とする屋外用ブラインドを提供する。
【０００８】
かかる発明によれば、屋外設置物に対してブラケットを着脱可能に取付け、ブラケットにブラインド支持部材を固定するようにしたため、施工が容易である。また、ハンマー等で叩いてブラケットをサッシ枠に係合させる構成ではないため、サッシ枠からブラケットが外れてブラインドが落下して破損したり、サッシ枠が破損したりする虞がない。さらに、ブラケットは着脱可能であるため、台風などの強風のときに取外すことができる。これにより、ブラインドが強風で破損したり、不用意に外れて飛ばされたりすることがなく、台風や強風に対応することができる。さらに、不要になった場合、取外して片づけることができる。
【０００９】
また、本発明によれば、屋外設置物は物干し竿、又は物干し竿を支持する物干し金物とすることができる。このように、物干し金物や、物干し金物に支持された物干し竿に取付けるだけであるため、施工が容易である。また、屋外用ブランドを取付けるための特別な装置を用意する必要がない。
【００１０】
ブラケットには、物干し竿が挿通する挿通部が設けられているようにしてもよい。これにより、ブラケットの挿通部に物干し竿を通すだけでブラケットを施工することができるため、屋外用ブラインドの設置が容易となる。また、ブラケットと物干し竿との係合状態が安定しているため、ブラケットが物干し竿から不用意に外れてブラインドが落下して破損したりすることがない。
【００１１】
ブラケット又はブラインド支持部材の少なくとも一方には、屋外設置物に対する相対移動を防止するための移動防止部が設けられているようにしてもよい。これにより、屋外用ブラインドが自重によって屋外設置物に対して移動してしまうことを防止することができる。
【００１２】
また、スクリーンはブラインド支持部材から鉛直方向と水平方向に選択的に引き出し可能であるようにしてもよい。これにより、スクリーンを鉛直方向に引き出して、そのまま垂下させて使用することができ、これにより、窓をスクリーンで覆うことができるので、室内に入る日射を効率よく遮蔽したり、室内に向けられる外からの視線を防いだりすることができる。一方、水平方向に引き出して、そのまま水平状態で使用したり、屋外設置物の近傍に配設される屋外用ブラインドを取付けていない物干し竿等の屋外設置物に係止させて、スクリーンの少なくとも一部を水平状態にして使用することができる。これにより、屋外に日陰を作ったり、水平状態のスクリーンの下方に洗濯物を干して、雨が降っても洗濯物が濡れないようにしたり、洗濯物や室内に向けられる視線を防いだりすることができる。
【発明の効果】
【００１３】
本発明によれば、屋外設置物に対してブラケットを着脱可能に取付け、ブラケットにブラインド支持部材を固定するようにしたため、施工が容易である。また、ハンマー等で叩いてブラケットをサッシ枠に係合させる構成ではないため、サッシ枠からブラケットが外れてブラインドが落下して破損したり、サッシ枠が破損したりする虞がない。
本発明のその他の効果については、以下の発明を実施するための形態の項でも説明する。
【図面の簡単な説明】
【００１４】
【図１】本発明の第１の実施形態に係る屋外用ブラインドの正面図である。
【図２】屋外用ブラインドを物干し竿に取付けた状態を示す側断面図である。
【図３】物干し竿に取付けられた屋外用ブラインドのスクリーンを、鉛直方向に引き出した状態を示す側断面図である。
【図４】物干し竿に取付けられた屋外用ブラインドのスクリーンを鉛直方向に引き出した状態を示す図であり、（ａ）は物干し金物を外側から見た側面図であり、（ｂ）は物干し金物を内側の側方から見た側断面図である。
【図５】物干し竿に取付けられた屋外用ブラインドのスクリーンを、付近の別の物干し竿に係止させた状態を示す側断面図である。
【図６】物干し竿に取付けられた屋外用ブラインドのスクリーンを、付近の別の物干し竿に係止させた状態を示す図であり、（ａ）は物干し金物を外側から見た側面図であり、（ｂ）は物干し金物を内側から見た側断面図である。
【図７】第２の実施形態に係る屋外用ブラインドであり、物干し金物を内側から見た側断面図である。
【図８】第３の実施形態に係る屋外用ブラインドの正面図である。
【図９】第４の実施形態に係る屋外用ブラインドの正面図である。
【図１０】図９のＡ−Ａ断面図であり、物干し金物を仮想線で示した図である。
【発明を実施するための形態】
【００１５】
以下に添付図面を参照しながら、本発明の好適な実施形態について詳細に説明する。なお、本明細書及び図面において、実質的に同一の機能構成を有する構成要素については、同一の符号を付することにより重複説明を省略する。
【００１６】
（第１の実施形態）
第１の実施形態に係る屋外用ブラインド１００について、図１〜図６を参照しながら説明する。まず、図１及び図２を参照しながら、本実施形態に係る屋外用ブラインド１００の構成を説明する。屋外用ブラインド１００は、建物４００の屋外側の壁面４３０から突出するように設置された一対の物干し金物２００（図４（ａ）参照）が支持する物干し竿３００に対して着脱自在に取付けられる一対のブラケット１１０、１１０と、一対のブラケット１１０、１１０に固定されるセットフレーム１２０と、一対のサイドプレート１３０、１３０と、巻取パイプ１４０と、巻取パイプ１４０に一端が連結され且つ巻取パイプ１４０に巻取り及び巻解き可能に吊り下げられるスクリーン１５０と、を備えて構成される。そして、本実施形態の屋外用ブラインド１００は、巻取パイプ１４０から巻解かれたスクリーン１５０によって日射を遮蔽することにより、室内に日光が差し込まないようにしたり、屋外に日陰を形成したり、洗濯物が雨に濡れないようにしたり、室内や洗濯物に向けられる視線を防いだりするものである。上記の物干し金物２００及び物干し竿３００により屋外設置物が構成され、セットフレーム１２０、一対のサイドプレート１３０、１３０及び巻取パイプ１４０によりブラインド支持部材が構成される。以下、屋外用ブラインド１００の各構成について詳細に説明する。本実施形態においては、屋外用ブランド１００は、物干し金物２００に形成される３つの支持孔２１０のうち、建物に最も近い支持孔２１０に支持された物干し竿３００に取付けられる。
【００１７】
（セットフレーム１２０）
セットフレーム１２０は長尺な部材であり、長手方向両端部にサイドプレート１３０との連結機構１２１、１２１を備えた連結部１２２と、連結部１２２の前後端下面からそれぞれ下方に突出する逆Ｔ字状の前側脚部１２３及び後側脚部１２４と、を備えて構成される。前側脚部１２３と後側脚部１２４との間は開口部１２５となっている。
【００１８】
（サイドプレート１３０、１３０）
一対のサイドプレート１３０、１３０は、セットフレーム１２０の連結機構１２１、１２１、に嵌合されて連結される嵌合突部１３１、１３１と、連結部１２２内に嵌入される断面略凹状の嵌入部１３２とを備えて構成される。また、一対のサイドプレート１３０、１３０は、セットフレーム１２０に並設されている巻取パイプ１４０の両端部を回転可能に支持している。
【００１９】
（巻取パイプ１４０）
巻取パイプ１４０は、スクリーン１５０の上端が連結されており、スクリーン１５０を巻取り及び巻解き可能である。巻取パイプ１４０は、スクリーン１５０が引き出されることにより、スクリーン１５０を巻解き、図示していない内蔵されたコイルスプリングの畜勢力により、スクリーン１５０を巻取るように構成されている。また、巻取パイプ１４０には、コイルスプリングの蓄勢力に抗して巻取パイプ１４０を停止させて、スクリーン１５０を所望の位置で停止させる図示していないストッパ装置も内蔵されている。
【００２０】
さらに、巻取パイプ１４０には、スクリーン１５０が所定量以上巻取られないようにするための上限リミット等を内蔵させることができる。スクリーン１５０の下端に取付けられている後述のウエイトバー１６０が、図２中仮想線で示した位置を乗り越えると操作しづらくなるが、図示していない上限リミット等を内蔵させることにより、実線で示された位置で停止するため、操作しづらくなるということがない。
【００２１】
（スクリーン１５０）
スクリーン１５０は、上述のように、上端が巻取パイプ１４０の長手方向全長にわたって連結されており、下端にウエイトバー１６０が取付けられている。
【００２２】
（ブラケット１１０、１１０）
ブラケット１１０は、図１及び図２に示したように、第１部材１１１と第２部材１１２により構成されており、第１部材１１１はセットフレーム１２０に連結される挟持部１１１ａと、物干し竿３００に対する、あるいは物干し竿３００と一体の回動を防止する移動防止部としての回動防止部１１１ｂを備える。また、第１部材１１１と第２部材１１２とが連結されることにより、物干し竿３００が挿通する挿通部としての貫通孔１１３が構成される。
【００２３】
（第１部材１１１）
第１部材１１１は正面から見て階段状に形成されており、下端が半円柱状の凹部１１１ｃに形成されている一段目１１１ｄと、一段目１１１ｄの上部一側面から連続して上方に延設されて、上部に上述の挟持部１１１ａを備えた二段目１１１ｅとを有する。挟持部１１１ａは側断面略コ字状に形成されており、挟持部１１１ａの内部空間１１１ａ−１に挿入されたセットフレーム１２０を挟持する。挟持部１１１ａの上部先端は下方に突出した下方突出部１１１ａ−２となっており、この下方突出部１１１ａ−２の外側面はテーパ面１１１ａ−３となっている。また、挟持部１１１ａの下部先端は上方に突出した上方突出部１１１ａ−４となっている。挟持部１１１ａをセットフレーム１２０に連結する際には、挟持部１１１ａの先端開口１１１ａ−５からセットフレーム１２０を挿入させる。この際、セットフレーム１２０がテーパ面１１１ａ−３に当接するが、引き続きセットフレーム１２０を内部空間１１１ａ−１に挿入させる方向に押し込むと、セットフレーム１２０の押圧力により、テーパ面１１１ａ−３に案内されて挟持部１１１ａが弾性変形して先端開口１１１ａ−５が広がっていく。これにより、内部空間１１１ａ−１にセットフレーム１２０を挿入させることができる。内部空間１１１ａ−１に挿入されたセットフレーム１２０は、挟持部１１１ａの先端の上下方向にそれぞれ突出した突出部によって先端開口１１１ａ−５からの離脱が規制されている。
【００２４】
（回動防止部１１１ｂ）
第１部材１１１の二段目１１１ｅの側面から略方形状の回動防止部１１１ｂが側方に突出して設けられており、ブラケット１１０が物干し竿３００に取付けられた際に、回動防止部１１１ｂの底面が物干し金物２００の上面に当接するようになっている。これにより、屋外用ブラインド１００が自重やスクリーン１５０の操作により、物干し竿３００に対して、あるいは物干し竿３００とともに回動することが防止される。なお、本実施形態の回動防止部１１１ｂは、屋外用ブラインド１００の前後両方向の回動が防止されるようになっているが、少なくともスクリーン１５０が引き出される方向、すなわち前方への回動が防止されるようになっていればよい。
【００２５】
（第２部材１１２）
第２部材１１２は、上端が半円柱状の凹部１１２ａに形成されている。
【００２６】
第１部材１１１及び第２部材１１２は、これらが連結されたときに、第１部材１１１の凹部１１１ｃと第２部材１１２の凹部１１２ａとが対向配置されることにより、上述の貫通孔１１３が形成されるようになっている。また、第１部材１１１及び第２部材１１２は連続する雌ネジを構成する雌ネジ孔１１１ｆ、１１２ｂをそれぞれ有している。各雌ネジ孔１１１ｆ、１１２ｂにネジ１１４が締結されることにより、物干し竿３００が第１部材１１１及び第２部材１１２によって上下から挟み付けられて取付けられる。一方、ネジ１１４を取外すと、第１部材１１１及び第２部材１１２は分離されてブラケット１１０が物干し竿３００から取り外しされる。このように、ブラケット１１０は、ネジ１１４の締結及び取外しだけで簡単に物干し竿３００に対して着脱することができる。
【００２７】
このように、ブラケット１１０は、物干し竿３００への着脱が容易であるとともに、セットフレーム１２０も容易に取付けることができるため、施工が容易である。また、台風や強風のときに、物干し竿３００から容易にブラケット１１０を取外すことができるので、屋外用ブラインド１００が強風で破損したり、ブラケット１１０が不用意に外れて飛ばされたりすることがなく、強風に対する対応も容易に行うことができる。さらに、不要になった場合も、簡単に取外して片づけたり、処分したりすることができる。
【００２８】
次に、図３〜図６を参照しつつ、本実施形態の屋外用ブラインド１００の動作について説明する。
【００２９】
まず、スクリーン１５０を鉛直下方に引き出して使用する例について、図３及び図４を参照しながら説明する。
ウエイトバー１６０を持ってスクリーン１５０を引き下ろすと、巻取パイプ１４０がスクリーン１５０を巻解き、図３に示したように、スクリーン１５０がブラケット１１０に沿って鉛直方向下方に引き下ろされる。このようにして、スクリーン１５０の全長を引き出すと、図４（ａ）、（ｂ）に示したように、窓４１０をスクリーン１５０でほぼ覆うことができる。これにより、窓４１０を介して室内に差し込む日射を遮蔽することができる。
【００３０】
また、スクリーン１５０を鉛直方向に引き下ろしているときに、屋外用ブラインド１００には、これを前方に回動させる力が加わるが、回動防止部１１１ｂが物干し金物２００に当接し、屋外用ブラインド１００の前後方向への回動が防止されている。このため、屋外用ブラインド１００が単体で、あるいは屋外用ブラインド１００と物干し竿３００とが一体で回動することがない。
【００３１】
次に、スクリーン１５０を略水平方向に引き出し、物干し金物２００の建物から最も遠い支持孔２１０に支持された第２の物干し竿３１０に引掛けて使用する例について、図５及び図６を参照しながら説明する。
【００３２】
ウエイトバー１６０を持ってスクリーン１５０を略水平方向に引き出すと、巻取パイプ１４０がスクリーン１５０を巻解き、スクリーン１５０が略水平方向に引き出される。この引き出されたスクリーン１５０を、図５に示したように、物干し金物２００の建物から最も遠い支持孔２１０に支持された第２の物干し竿３１０に引掛ける。このようにして、第２の物干し竿３１０に引掛けた状態でスクリーン１５０を更に引き出すと、図６（ａ）、（ｂ）に示したように、スクリーン１５０は、巻取パイプ１４０から第２の物干し竿３１０までは、傾斜して導かれ、第２の物干し竿３１０からは鉛直下方に垂れ下がった状態となる。このため、図６（ａ）、（ｂ）に示したように、物干し金物２００の中央の支持孔２１０に支持された第３の物干し竿３２０に洗濯物６００を吊下げると、洗濯物６００の上方及び前面がスクリーン１５０で覆われる。これにより、スクリーン１５０で洗濯物６００を隠すことができる。また、雨が降った際に、洗濯物６００の上方及び前方から吹き付ける雨はスクリーン１５０が防ぎ、洗濯物６００の後方は建物によって遮られているため、洗濯物６００が雨で濡れることを防止することができる。
【００３３】
また、本実施形態によれば、スクリーン１５０を略水平方向に引き出すときに、屋外用ブラインド１００に、これを前方に回動させる力が加わるが、回動防止部１１１ｂが物干し金物２００に当接し、回動が防止されている。このため、屋外用ブラインド１００が単体で、あるいは屋外用ブラインド１００と物干し竿３００とが一体で回動することがない。
【００３４】
（第２の実施形態）
次に、第２の実施形態に係る屋外用ブラインド１００について、図７を参照しながら説明する。本実施形態は、上記第１の実施形態に係る屋外用ブラインド１００のうち、ブラケット１１０に特徴を有するものである。ここではブラケット１１０の構成についてのみ説明することとし、その他の部分については、上記第１の実施形態と同様であるため、重複説明を省略する。
【００３５】
本実施形態のブラケット１００は、図７に示したように、第１部材１１１の長さ寸法を第１の実施形態のものよりも長くしたものである。これにより、巻取パイプ１４０の高さ位置を第１の実施形態の巻取パイプ１４０の高さ位置よりも建物４００の天井４２０により近づけることができる。よって、窓４１０の上端までスクリーン１５０で覆うことができる。
【００３６】
（第３の実施形態）
次に、第３の実施形態に係る屋外用ブラインド１００について、図８を参照しながら説明する。本実施形態は、上記第１の実施形態に係る屋外用ブラインド１００よりも幅寸法が大きいものを使用し、取付けるブラケット１１０の数を増やしたものである。その他の部分については、上記第１の実施形態と同様であるため、重複説明を省略する。
【００３７】
図８に示したように、一対の物干し金物２００の間隔が広く、これに支持される物干し竿３００が長い場合、この物干し竿３００に取付けられる屋外用ブラインド１００も、一対の物干し金物２００の間隔に対応した幅の広いものが用いられる。これに伴って、ブラケット１１０を３個以上用いて、屋外用ブラインド１００を物干し竿３００に取付けるようにしている。ここで、物干し竿３００には３個以上のブラケット１１０が取付けられるが、左右両端に配設されるブラケット１１０は、これらの回動防止部１１１ｂが物干し金物２００に当接するように配設されるため、屋外用ブラインド１００の揺動が防止される。
【００３８】
このように、屋外用ブラインド１００の幅が広くても、ブラケット１１０の数を増やして対応することができるため、屋外用ブラインド１００を確実に物干し竿３００に取付けることができる。
【００３９】
（第４の実施形態）
次に、第４の実施形態にかかる屋外用ブラインド１００について、図９及び図１０を参照しながら説明する。本実施形態では、ブラケット１１０は回動防止部１１１ｂを備えておらず、ブラケット１１０とは別体の回動防止部材５００をセットフレーム１２０に直接取り付けたことを特徴とする。その他の部分については、上記第１の実施形態と同様であるため、重複説明を省略する。
【００４０】
ブラケット１１０は、図９及び図１０に示したように、回動防止部１１１ｂを備えていない構成であり、物干し竿３００の物干し金物２００から離れた位置に配設される。また、本実施形態において、ブラケット１１０とは別体に設けられている回動防止部材５００は、前述のようにセットフレーム１２０に取付けられるものであり、セットフレーム１２０の下面に当接し、セットフレーム１２０の長手方向に延びる方形状の上部５１０と、上部５１０の前後両端部から下方にそれぞれ伸びる一対の脚部５２０と、一対の脚部５２０の下端から水平方向にそれぞれ突出する鍔部５３０と、鍔部５３０の長手方向一端部から脚部５２０を超えて更に外側に延設された当接部５４０と、上部５１０の後端部から上方に突出する逆Ｌ字状の係止部５５０と、上部５１０上を前後方向に摺動する摺動部５６０と、係止部５５０と摺動部５６０との間に設けられ、摺動部５６０を係止部５５０から常時離隔する方向に付勢するバネ５７０と、を備えて構成されている。
【００４１】
当接部５４０は、これの下面が物干し金物２００の上面に当接するようになっており、これにより、屋外用ブラインド１００の回動が防止される。また、係止部５５０及び摺動部５６０は、これらの先端がセットフレーム１２０の後側脚部１２４及び前側脚部１２３にそれぞれ挿入されるようになっており、摺動部５６０の先端は、上下方向において円弧面５６１に形成されている。
【００４２】
次に、回動防止部材５００をセットフレーム１２０及び物干し金物２００に取付ける方法について説明する。
まず、セットフレーム１２０の長手方向の一方の端部において、当接部５４０の位置が物干し金物２００の位置に対応するように、回動防止部材５００を配置する。そして、回動防止部材５００を傾けて、係止部５５０の先端を開口部１２５を介して後側脚部１２４内に挿入する。次に、回動防止部材５００の前側を上昇させる。これにより、摺動部５６０の円弧面５６１が前側脚部１２３の先端に当接するが、回動防止部材５００の前側を更に上昇させていくと、前側脚部１２３の先端が円弧面５６１を押圧する。これにより、摺動部５６０が円弧面５６１に案内されてバネ５７０の付勢力に抗して後側へ移動し、前側脚部１２３の下端を乗り越えて、摺動部５６０の先端が前側脚部１２３内に挿入される。この状態では、バネ５７０によって摺動部５６０は前方に、係止部５５０は後方にそれぞれ押圧されるため、回動防止部材５００は不用意に外れることなくセットフレーム１２０に取付けられる。また、当接部５４０の下面が物干し金物２００の上面に当接する。次に、セットフレーム１２０の他方の端部にも回動防止部材５００を同様に取付けることにより、一方の端部と同様に当接部５４０の下面が物干し金物２００の上面に当接する。よって、屋外用ブラインド１００の回動が防止される。
【００４３】
以上、添付図面を参照しながら本発明の好適な実施形態について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものである。
【００４４】
例えば、物干し金物２００は、建物４００の天井４２０から垂下するように取付けられた、略Ｊ字状の形状を有するものとしてもよい。
【００４５】
また、ブラケット１１０を物干し竿３００ではなく、物干し金物２００に取付けてもよい。
【００４６】
さらに、物干し金物２００は、建物４００に付設されたものではなく、屋外に任意に設置したものでもよい。
【００４７】
また、ブラケット１１０を取付ける屋外設置物は、物干し金物２００や物干し竿３００に限定されない。
【００４８】
さらに、ブラケット１１０を第１部材１１１と第２部材１１２の２つの部材を連結することにより構成したが、貫通孔１１３を備えているものであれば、１つの部材で構成してもよく、また、３つ以上の部材を連結して構成してもよい。
【符号の説明】
【００４９】
１１０  ブラケット
１１１ｂ  回動防止部（移動防止部）
１１３  貫通孔（挿通部）
１２０  セットフレーム（ブラインド支持部材）
１３０  サイドプレート（ブラインド支持部材）
１４０  巻取パイプ（ブラインド支持部材）
１５０  スクリーン
２００  物干し金物（屋外設置物）
３００  物干し竿（屋外設置物）
５００  回動防止部材（移動防止部）
【図１】
2015124469.tif 000003
【図２】
2015124469.tif 000004
【図３】
2015124469.tif 000005
【図４】
2015124469.tif 000006
【図５】
2015124469.tif 000007
【図６】
2015124469.tif 000008
【図７】
2015124469.tif 000009
【図８】
2015124469.tif 000010
【図９】
2015124469.tif 000011
【図１０】
2015124469.tif 000012